(57)【要約】【課題】  本発明は、安価かつ信頼性に優れた構成で太陽電池アレイに作用する風圧を低減し、架台仕様を大幅に合理化できる大規模太陽光発電システムの設計法を提供することにある。【解決手段】  防風壁を配置した総発電出力が１MW以上の大規模太陽光発電システムの設計法であって、太陽電池アレイの仕様と、太陽電池アレイを支持する架台の仮仕様を決定し、太陽電池アレイと前記架台とをモデル化し、太陽電池アレイに作用する最大風圧を解析する第一の風況解析を行い、太陽電池アレイと前記架台に加えて防風壁をモデル化して第二の風況解析を行い、全ての太陽電池アレイに作用する風圧が前記最大風圧の１／２以下となるような防風壁の仕様を決定し、設計風荷重の１／２を作用して前記架台の構造解析を行い、前記架台の本仕様を決定することを特徴とする大規模太陽光発電システムの設計法である。【選択図】図３
2011181670.tif 000002
【特許請求の範囲】
【請求項１】
防風壁を配置した総発電出力が１MW以上の大規模太陽光発電システムの設計法であって、
太陽電池アレイの仕様と、太陽電池アレイを支持する架台の仮仕様を決定し、
太陽電池アレイと前記架台とをモデル化し、太陽電池アレイに作用する最大風圧を解析する第一の風況解析を行い、
太陽電池アレイと前記架台に加えて防風壁をモデル化して第二の風況解析を行い、全ての太陽電池アレイに作用する風圧が前記最大風圧の１／２以下となるような防風壁の仕様を決定し、
設計風荷重の１／２を作用して前記架台の構造解析を行い、前記架台の本仕様を決定することを特徴とする大規模太陽光発電システムの設計法。
【請求項２】
前記防風壁の高さは、少なくとも太陽電池アレイの最大高さとすることを特徴とする請求項１に記載の大規模太陽光発電システムの設計法。
【請求項３】
前記防風壁は、少なくとも太陽電池アレイの北側に設置することを特徴とする請求項１または２に記載の大規模太陽光発電システムの設計法。
【請求項４】
前記防風壁は、直立壁であることを特徴とする請求項１から３のいずれかに記載の大規模太陽光発電システムの設計法。
【請求項５】
前記防風壁は、盛土からなることを特徴とする請求項１から３のいずれかに記載の大規模太陽光発電システムの設計法。
【請求項６】
前記盛土は、前記大規模太陽光発電システムの敷地造成後の残土を盛り立てたものであることを特徴とする請求項５に記載の大規模太陽光発電システムの設計法。
【発明の詳細な説明】
【技術分野】
【０００１】
本発明は、防風壁を配置した大規模太陽光発電システムの設計法に関する。
【背景技術】
【０００２】
近年、環境負荷の低い発電方式として、複数の太陽電池アレイを配置して１MW以上の発電を行う大規模太陽光発電システムが注目されている。
【０００３】
太陽電池アレイの架台（基礎を含む）は、ＪＩＳ  C８９５５（２００４）等に準拠して設計されるのが一般的である。架台の設計では、長期荷重ケースでは自重を、短期荷重ケースでは自重に加えて風荷重または積雪荷重あるいは地震荷重を作用させる。このうち、短期荷重の風荷重を作用させたケースが、架台仕様の決定ケースとなる場合が多い。
【０００４】
総発電出力が１ＭＷ以上の大規模太陽光発電システムでは、太陽電池アレイの総面積が5,000m2以上となることが多く、作用する風圧も大きくなる。そのため、太陽電池アレイを支持する架台も大型化し数量も増加する傾向にあった。大規模太陽光発電システムの建設コストのうち、架台の設備コストは無視できない割合を占めており、割高な太陽光発電のコストを下げるため、架台に係わるコストの削減が求められていた。
【０００５】
ＪＩＳ  C８９５５（２００４）では、架台が複数ある場合には、端部は設計基準の風力係数を適用し、中央部はその値の１／２を使用してもよいと記載されている（同５．３．１）。建築基準法にも同様の記載がある（建築基準法施工令  第８７条３項）。これらは風洞実験結果等に基づき設定されたものであり、端部の太陽電池アレイや架台が風を遮って、中央部の太陽電池アレイに作用する風圧が低減される効果を反映したものである。この基準に沿って、大規模太陽光発電システムの中央部の風圧荷重を１／２に低減して架台の設計を行う場合があった。
【０００６】
他に太陽電池アレイに作用する風圧荷重を物理的に低減するため、架台の側面近傍に防風目的で植物を設置したシステムがある（例えば、特許文献１参照）。植物等の設置高さは、太陽電池アレイへの受光を阻害しないように太陽電池アレイよりも低く設定されている。
【０００７】
また、太陽電池アレイの周囲に防風枠を設けた装置もある（例えば、特許文献２参照）。この装置では、架台高を可変とし、強風時には防風枠よりも架台高を低くして暴風による太陽電池アレイの破損を防いでいる。
【先行技術文献】
【特許文献】
【０００８】
【特許文献１】特開２００４−２２５２８０号公報（請求項１参照）
【特許文献２】特開２００３−１２４４９５号公報（図６参照）
【発明の概要】
【発明が解決しようとする課題】
【０００９】
しかし、通常の構造では中央部の風荷重を低減して架台仕様を合理化できても、端部の風荷重は低減できず一部の架台が大型化してしまう。その影響で中央部と端部の架台仕様が変化してしまい、地盤条件によっては不等沈下などの悪影響を及ぼす可能性があった。
【００１０】
また、特許文献１の構成では防風目的で配置するのが植物であり、防風効果を定量的に把握するのが困難で信頼性に乏しいため、架台の設計に反映できなかった。また、植物の生育を長期的に管理する必要があり、余計な維持管理コストがかかる可能性があった。
【００１１】
さらに、特許文献２の装置を大規模太陽光発電システムに適用するのは、架台の高さを自由に調節するための高価な特殊構造を多数用いる必要があり、現実的ではなかった。
【００１２】
本発明は、これらの課題を解決するためになされたものであり、安価かつ信頼性に優れた構成で太陽電池アレイに作用する風圧を低減し、架台仕様を大幅に合理化できる大規模太陽光発電システムの設計法を提供することにある。
【課題を解決するための手段】
【００１３】
防風壁を配置した総発電出力が１MW以上の大規模太陽光発電システムの設計法であって、太陽電池アレイの仕様と、太陽電池アレイを支持する架台の仮仕様を決定し、太陽電池アレイと前記架台とをモデル化し、太陽電池アレイに作用する最大風圧を解析する第一の風況解析を行い、太陽電池アレイと前記架台に加えて防風壁をモデル化して第二の風況解析を行い、全ての太陽電池アレイに作用する風圧が前記最大風圧の１／２以下となるような防風壁の仕様を決定し、設計風荷重の１／２を作用して前記架台の構造解析を行い、前記架台の本仕様を決定することを特徴とする。
【００１４】
ここで、前記防風壁の高さは、少なくとも太陽電池アレイの最大高さとすることが好ましい。防風壁の高さを太陽電池アレイの最大高さ以上に限定することで、第二の風況解析のケース数を減らして設計コストを削減できる。また、強風時の安全性も向上できる。
【００１５】
また、前記防風壁は、少なくとも太陽電池アレイの北側に設置することが好ましい。太陽電池アレイは通常南向きに傾斜するよう設置されるので、北風の影響を最も受けやすい。そのため、防風壁を北側に設置することでより大きな防風効果を享受できる。
【００１６】
また、前記防風壁は、直立壁であることが好ましい。略長方形状の直立壁であれば防風効果が高く、かつ安価な汎用品を用いることができる。
【００１７】
また、前記防風壁は、盛土からなることが好ましい。さらに、前記盛土は、前記大規模太陽光発電システムの敷地造成後の残土を盛り立てたものであることが好ましい。盛土であれば周辺残土を有効利用することできる。さらに、大規模太陽光発電システムの敷地造成後の残土を利用すれば、残土処理費も抑制することができる。
【発明の効果】
【００１８】
本発明の大規模太陽光発電システムの設計法によれば、安価かつ信頼性に優れた構成で太陽電池アレイに作用する風圧を低減し、架台仕様を大幅に合理化することが可能となる。
【図面の簡単な説明】
【００１９】
【図１】本発明の実施形態に係わる大規模太陽光発電システムの概要を表す斜視図である。
【図２】本発明の実施形態に係わる架台の概要を表す部分斜視図である。
【図３】本発明の実施形態に係わる大規模太陽光発電システムの設計手順を表すフロー図である。
【図４】本発明の実施形態に係わる第一の風況解析を表す概要図である。
【図５】本発明の実施形態に係わる太陽電池アレイと架台の三次元解析モデルの概要図である。
【図６】本発明の実施形態に係わる第二の風況解析を表す概要図である。
【図７】本発明の実施形態に係わる計算メッシュの一例を表すメッシュ図である。
【図８】本発明の実施例に係わる防風壁による防風効果を表す図である。
【発明を実施するための形態】
【００２０】
以下に添付図面を参照しながら、本発明を実施するための形態について詳細に説明する。かかる実施形態に示す寸法、材料、その他具体的な数値などは、発明の理解を容易とするための例示に過ぎず、特に断る場合を除き、本発明を限定するものではない。
【００２１】
図１は、本発明の実施形態に係わる大規模太陽光発電システムの概要を表す斜視図である。本発明では、総発電出力が１MW以上の大規模太陽光発電システムを対象とする。
【００２２】
この大規模太陽光発電システム１０は、複数の太陽電池アレイ２０と、太陽電池アレイ２０を支持する架台３０と、太陽電池アレイ２０への風圧を低減するための防風壁４０とから主に構成される。太陽電池アレイ２０で得られた直流電力は、ＤＣ／ＡＣ変換装置（図示せず）で交流電力に変換され、さらに変電設備（図示せず）で昇圧されて電力系統に連係される。
【００２３】
図２は、本実施形態に係わる架台の概要を表す部分斜視図である。架台３０は、小型の基礎ブロック３１と、基礎ブロック上に立てられた支柱３２と、支柱の上端に長方形状に連続して配置されたフレーム材３３とから主に構成されている。そのフレーム材上に配置した受け材３４で太陽電池アレイ２０を支持している。
【００２４】
基礎ブロック３１の大きさは、架台３０が風圧荷重等で転倒しないように一定の大きさ（重量）を確保する必要がある。基礎ブロック３１の材質は特に限定されないが、一定の重量のブロックを安価に施工できる点から鉄筋コンクリート製が好適に用いられる。なお、基礎ブロックは地盤強度で支持したベタ基礎としてもよく、別途設けた杭（摩擦杭を含む）で支持する杭基礎としてもよい。また、基礎ブロック下に基礎梁を設けてそれぞれを接続してもよい。
【００２５】
支柱３２は、基礎ブロック上に鉛直方向に配置され、フレーム材３３に傾斜を与える。図２では、２０度の傾斜を与えているが、傾斜角は水平面に対して１０度から４０度の範囲で年間の総発電量が最大となるように設定すればよい。支柱３２、フレーム材３３、受け材３４の材質は特に限定されないが、鋼材や単管パイプが好適に用いられる。
【００２６】
図３は、本実施形態に係わる大規模太陽光発電システムの設計手順を表すフロー図である。本設計手順では、まず太陽電池アレイ２０の仕様と、架台３０の仮仕様を決定し（Ｓ１、Ｓ２）、太陽電池アレイ２０と架台３０とをモデル化し、太陽電池アレイ２０に作用する最大風圧を解析する第一の風況解析Ｗ１を行う（Ｓ３）。次に、太陽電池アレイ２０と架台３０に加えて防風壁４０をモデル化して第二の風況解析Ｗ２を行い（Ｓ４、Ｓ５）、全ての太陽電池アレイ２０に作用する風圧が最大風圧の１／２以下となるような防風壁４０の仕様を決定する（Ｓ６〜Ｓ８）。さらに、設計風荷重の１／２を作用して架台３０の構造解析を行い、架台３０の本仕様を決定することを特徴とする（Ｓ９）。
【００２７】
以降、それぞれの設計手順について詳細に説明する。
まず、太陽電池アレイ２０の仕様を決定する（Ｓ１）。太陽電池アレイ２０は、太陽電池モジュール（図示しない）を複数直並列に接続して所定量が発電できるように構成される。太陽電池アレイ２０の個数は、大規模太陽光発電システム１０の計画発電量を太陽電池アレイ２０あたりの発電量で除して求められる。さらに、大規模太陽光発電システム１０の敷地に応じて、太陽電池アレイ２０の配置レイアウトを決定する。
【００２８】
次に、架台３０の仮仕様を決定する（Ｓ２）。ここで仮仕様とは、次手順での風況解析を行えるレベルの仕様のことを指す。図２に示す架台構造の全てを決定する必要はなく、例えば支柱３２の間隔や構造（太陽電池アレイの傾斜角を含む）を決定しておけば十分である。
【００２９】
次に、太陽電池アレイ２０と架台３０をモデル化し、第一の風況解析Ｗ１を行い、太陽電池アレイ２０に作用する最大風圧Ｗｍａｘを求める（Ｓ３）。この手順について図４に示す第一の風況解析を表す概要図を用いて説明する。図４（ａ）は、解析モデルの断面イメージ図であり、図４（ｂ）は、太陽電池アレイの位置と作用する風圧の関係を表した図である。
【００３０】
解析モデルでは、ステップＳ１で決定した太陽電池アレイ２０の仕様と、ステップＳ２で決定した架台３０の仮仕様（特に支柱３２の間隔や構造）を可能な限り正確に反映する。なお、図４（ａ）では２次元断面で表示しているが、実際には三次元解析モデルを用いる。図５に、太陽電池アレイと架台の三次元解析モデルの概要図を示す。三次元解析モデルを用いるのは、支柱３２の間の空気の流れを精度よく再現するためである。
【００３１】
解析モデルの境界に風荷重Ｄを作用させる。風荷重Ｄには任意の値を設定できるが、大規模太陽光発電システム１０の立地地点の想定最大風速や、後述する設計風荷重Ｆｗと整合するように設定するのが好ましい。実現象や設計条件との整合が取れ、風況解析の信頼性が増すためである。風荷重Ｄを作用する方向は、太陽電池アレイ２０への風圧が最も大きくなる方向から選定すればよい。例えば、太陽電池アレイ２０が南側に傾斜して設置される場合には、北風を作用させればよい。また、風荷重Ｄは、高さ方向に一定の風速としてもよいが、地盤の抵抗を考慮して高度に応じて風速を変化させてもよい。
【００３２】
風荷重Ｄによる空気の流れを風況解析により求める。詳細は後述するが風況解析では、図４（ａ）に示すように主に太陽電池アレイ２０の影響を受けて局所的に空気の流れが乱れる乱流現象を再現する。
【００３３】
この解析結果から太陽電池アレイ２０へ作用する風圧を求め、その中から最大風圧Ｗｍａｘを算定する。通常は風上側の太陽電池アレイ２０に作用する風圧が最大風圧Ｗｍａｘとなる。例えば、図４（ｂ）では、１列目（最北部）に位置する太陽電池アレイ２０に作用する風圧を１００％とした場合、２列目、３列目と風下側に移動するに従って風圧が減少し、３列目で５０％を下回ることが分かる（同図矢印部分参照）。
【００３４】
次に、防風壁４０の仕様を複数仮定する（Ｓ４）。ここで仮定する防風壁４０の仕様には、第二の風況解析Ｗ２で防風壁４０をモデル化するために必要な情報を含んでいればよい。例えば防風壁４０の高さ、形状および位置である。防風壁４０の仕様は、後で最適条件が選定できるように複数仮定する必要がある。
【００３５】
次に、仮定した仕様に基づいて、それぞれ防風壁４０をモデル化し、第二の風況解析Ｗ２を実施し、太陽電池アレイ２０に作用する風圧を算定する（Ｓ５）。この手順について図６に示す第二の風況解析を表す概要図を用いて説明する。
【００３６】
図６（ａ）は、解析モデルの断面イメージ図であり、図６（ｂ）は、太陽電池アレイの位置と作用する風圧の関係を表した図である。なお、図６（ｂ）では、防風壁４０が無い場合の最大風圧Ｗｍａｘ（図４の１列目の太陽電池アレイ２０に作用する風圧）を基準として風圧が変化するイメージを図示した。
【００３７】
第二の風況解析Ｗ２で用いる解析モデルは、第一の風況解析Ｗ１で用いたものに防風壁４０を追加して作成する。作成した解析モデルに、第一の風況解析Ｗ１と同じ風荷重Ｄを作用して、太陽電池アレイ２０に作用する風圧を算定する。ステップＳ４で仮定した全ての防風壁４０の仕様に対して解析モデルを作成して第二の風況解析Ｗ２を行い、風圧を算定する（Ｓ６）。
【００３８】
防風壁４０の存在によって風圧は低減される。例えば、図６（ｂ）では、１列目の太陽電池アレイ２０に作用する風圧が最大風圧Ｗｍａｘの１／２以下となり（同図矢印部分参照）、他の全ての太陽電池アレイ２０でも同様に風圧が最大風圧Ｗｍａｘの１／２以下となっている。
【００３９】
次に、防風壁４０の最適仕様を選定可能か確認し（Ｓ７）、最適仕様が選定可能であれば防風壁４０の仕様を決定する（Ｓ８）。防風壁４０の最適仕様の選定は、まず、全ての太陽電池アレイ２０に作用する風圧が最大風圧Ｗｍａｘの１／２以下となる防風壁４０を選定することから行う。選定された防風壁４０の中で、信頼性やコストの面から最適な仕様を選定する。最適な仕様が選定できない場合には、再度ステップＳ４に戻り、別の防風壁４０の仕様を仮定する。
【００４０】
最後に、設計風荷重Ｆｗの１／２を作用して架台３０の構造解析を行い、架台３０の本仕様を決定する（Ｓ９）。設計風荷重Ｆｗとは架台用の設計基準で定められた風荷重のことであり、式１、式２で算定することができる（建築基準法第８７条参照）。
（数１）
Ｆｗ＝ｑ・Ｃｗ・Ａａ（Ｎ） ----------------------------------式１
ｑ＝０．６Ｅ・Ｖ０２（Ｎ／ｍ２）----------------------------式２
ただし、Ｅ  ：建築基準法施工令第８７条に従って求められる係数
Ｖ０：同条により定められている設置場所の風速（ｍ／秒）
Ａａ：アレイ表面積（ｍ２）
Ｃｗ＝0.79〜1.06：順風でのアレイ傾斜角度15〜45°での風力係数
Ｃｗ＝0.94〜1.43：逆風でのアレイ傾斜角度15〜45°での風力係数
【００４１】
設計風荷重Ｆｗの１／２を用いて全ての架台３０の設計を行えるのは、本実施形態で防風壁４０を設置し、全ての太陽電池アレイ２０に作用する風圧を最大風圧Ｗｍａｘの１／２以下へと低減しているためである。通常は、設計風荷重Ｆｗを用いて全ての架台３０を設計するか、一部（中央部）に位置する架台３０のみ設計風荷重Ｆｗの１／２を用いて設計する。設計風荷重Ｆｗの１／２を用いて全ての架台３０の設計を行うことにより、架台３０に用いる鋼材の仕様を下げて設備コストを低減することができる。
【００４２】
また、一部（中央部）に位置する架台３０のみ設計風荷重Ｆｗの１／２を用いて設計した場合と比較して、全ての架台３０を同じ条件で設計して仕様を統一化でき、部材調達コストを低減できる。さらに、軟弱地盤においても不等沈下を抑制でき、架台３０の安定性を向上できる。
【００４３】
ステップＳ４で仮定する防風壁４０の仕様について説明する。防風壁４０の高さは特に限定されないが、太陽電池アレイ２０の最大高さ以上とするのが好ましい。防風壁４０の高さを太陽電池アレイ２０の最大高さ以上に設定すれば、高い確率で全ての太陽電池アレイ２０に作用する風圧を最大風圧Ｗｍａｘの１／２以下へと低減できることが分かっている。このため、防風壁４０の高さを太陽電池アレイ２０の最大高さ以上に限定することで、最適仕様を選定するために必要な第二の風況解析Ｗ２のケース数を減らして設計コストを削減できる。また、強風時の安全性も向上できる。
【００４４】
また、防風壁４０の仕様のうち、防風壁４０の形状も特に限定されないが、図４や図６に示す略長方形状の直立壁もしくは略台形状の盛土を用いるのが好ましい。直立壁は防風効果が高く、さらにコンクリート製等の安価な汎用品を用いることができる。また、盛土であれば周辺残土を有効利用することできる。大規模太陽光発電システム１０の敷地造成後の残土を盛り立てた盛土を利用すれば、残土処理費も抑制することができる。
【００４５】
防風壁４０を設置する位置は、図１に示すように少なくとも太陽電池アレイ２０の北側に設置することが好ましい。太陽電池アレイ２０は通常南向きに傾斜するよう設置されるので、北風の影響を最も受けやすい。そのため、防風壁４０を北側に設置すれば、より大きな防風効果を享受できる。太陽電池アレイ２０の東側および西側にも防風壁４０を設置すれば、防風効果をさらに高めることができる。
【００４６】
風況解析の詳細について説明する。乱流現象を解析できる手法としては、ＬＥＳ（Large Eddy Simulation）法、ＲＡＮＳ（Reynolds
Average Navier-Stokes）法などがある。後者のＲＡＮＳ法には、κ−εモデル、ＡＳＭ（Algebraic Second-moment closure Model）、ＤＳＭ（Differential
Second-moment closure Model）などが含まれる。本実施形態では解析時間と解析精度の点から適宜最適な手法を選定すればよいが、解析精度を重視するならばＬＥＳ法が好ましい。
【００４７】
ＬＥＳ法は、流れの基礎方程式に適当な空間フィルターを施して粗視可を行い、フィルター幅に対応するスケールよりも大きなスケールの流れを解析対象とする。フィルター幅以下のスケールの変動成分については定形化して表現する（風工学ハンドブック、pp384-390、2007参照)。
【００４８】
ＲＡＮＳモデルは平均流の大きなスケールの流れも定形化して表現するため、大きなスケールの流れをそのまま詳細に再現できるＬＥＳモデルの方が解析精度は高くなる。ただし、ＬＥＳ法では、ＲＡＮＳ法よりも分解能の高い計算メッシュが必要となり、計算負荷も１０倍以上となる。
【００４９】
図７に、ＬＥＳ法での計算メッシュの一例を表すメッシュ図を示す。このメッシュ図は３次元の計算メッシュの一断面を示したものである。太陽電池アレイ下は高さ方向に１５等分している（間隔は０．０３３ｍ〜０．０９１ｍ）。太陽電池アレイ２０の部分は、０．０２５ｍの間隔で高さ方向に分割している。太陽電池アレイ上の部分は、指数関数的にメッシュ間隔が広くなるようにしている。
【００５０】
以上説明の通り、本実施形態の大規模太陽光発電システムの設計法によれば、安価かつ信頼性に優れた構成で太陽電池アレイに作用する風圧を低減し、架台仕様を大幅に合理化することが可能となる。
【実施例】
【００５１】
防風壁４０による防風効果を把握するため、風況解析を行った。まず、太陽電池アレイ２０と架台３０の支柱３２をモデル化した３次元モデル（太陽電池アレイ２０の最大高さは１．４ｍ）を作成した（図５、図７参照）。風荷重Ｄは風速３９．１ｍの北風を用いた。
【００５２】
実施例として以下の仕様の防風壁を設定した。台形断面は盛土を模擬し、長方形断面は直立壁を模擬している。また、防風壁を配置しない比較例も設定した。
〔実施例での防風壁の仕様〕
実施例１）台形断面、高さ１．５ｍ
実施例２）台形断面、高さ１．８ｍ
実施例３）台形断面、高さ２．０ｍ
実施例４）長方形断面、高さ１．８ｍ
【００５３】
風況解析の数値解析法には差分法を用い、Kuwaharaによって提案されている風上差分法によるImplicit ＬＥＳ法を用いた（Kuwahara, K., AIAA paper 99-3404., 1999参照)。計算は１００００分の１秒ごとに行い、１０００個（０．１秒間）ごとの平均値を用いて計算結果を整理した。
【００５４】
実施例１〜実施例４および比較例のそれぞれで太陽電池アレイに作用する最大風圧を算定した。風圧は太陽電池アレイの平均風圧を用いた。図８に、防風壁による防風効果を整理した結果を示す。この結果から、全ての実施例で比較例の最大風圧の１／２以下に風圧が低減できることが分かる。実施例１より１．５ｍの高さの防風壁、すなわち太陽電池アレイの最大高さ（１．４ｍ）より高い防風壁があれば、防風効果は十分であるといえる。さらに、実施例２と実施例４とを比較すると、実施例４の方が最大風圧が小さくなっており、台形断面よりも長方形断面の方が防風効果が大きめに出ているといえる。
【符号の説明】
【００５５】
１０      大規模太陽光発電システム
２０      太陽電池アレイ
３０      架台
３１      基礎ブロック
３２      支柱
３３      フレーム材
３４      受け材
４０      防風壁
【図１】
2011181670.tif 000003
【図２】
2011181670.tif 000004
【図３】
2011181670.tif 000005
【図４】
2011181670.tif 000006
【図５】
2011181670.tif 000007
【図６】
2011181670.tif 000008
【図７】
2011181670.tif 000009
【図８】
2011181670.tif 000010